(57)【要約】      （修正有）【課題】ＡＥＤの監視管理者だけに使用可能状態を直接伝達できる小型で安価なＡＥＤ遠隔監視管理装置を提供する。【解決手段】ＡＥＤ本体を収納しているボックス内のセンサー部１０１は、各機種ごとに異なり、大別するとＡＥＤ使用可能状態のＬＥＤ点滅１０２方式、ＡＥＤ使用可能状態の液晶画面１０３によるＯＫマーク方式、又は赤外線通信１０４による情報伝達方式で構成されている。センサー部からの信号は、ＡＥＤがボックス内から取り出され移動した時の使用不可状態（無信号状態）も含めて入力回路部１０８でデジタル信号化され、携帯電話で指定されたＡＥＤ監視管理者にメール転送される。【選択図】図１
0003188490.tif 000002
【実用新案登録請求の範囲】
【請求項１】
ＡＥＤ本体から出力されるセンサー部（１０１）は、ＡＥＤ使用可能状態のＬＥＤ点滅（１０２）、ＡＥＤ使用可能状態の液晶画面（１０３）によるＯＫマーク、赤外線通信（ＩｒＤＡ）（１０４）、ＡＥＤがボックス内から取り出され移動したときも無信号状態となりＡＥＤ使用不可状態となることを検出し、ＡＥＤ監視管理者にＡＥＤ使用可能状態を伝達するＡＥＤ遠隔監視管理装置である。
【請求項２】
請求項１に記載のＡＥＤ遠隔監視管理装置であって、ＡＥＤ本体から自己点検出力としてＡＥＤ使用可能状態には、ＬＥＤ点滅（１０２）させ、ＡＥＤ使用可能状態を検知する入力回路部（１０８）を備えたＡＥＤ遠隔監視管理装置である。
【請求項３】
請求項１に記載のＡＥＤ遠隔監視管理装置であって、ＡＥＤ本体から自己点検出力としてＡＥＤ使用可能状態には、液晶画面（１０３）によるＯＫマークのＡＥＤ使用可能状態を検知する入力回路部（１０８）を備えたＡＥＤ遠隔監視管理装置である。
【請求項４】
請求項１に記載のＡＥＤ遠隔監視管理装置であって、ＡＥＤ本体から自己点検出力の赤外線通信（ＩｒＤＡ）（１０４）を検出し、ＡＥＤ使用可能状態を検知する入力回路部（１０８）を備えたＡＥＤ遠隔監視管理装置である。
【請求項５】
請求項１に記載のＡＥＤ遠隔監視管理装置であって、センサー部（１０１）と制御部（１０７）からなり、センサー部（１０１）と制御部（１０７）を接続するためのコネクターは、容易に脱着出来るコネクター部（１０６）を備えたＡＥＤ遠隔監視管理装置である。
【請求項６】
請求項１に記載のＡＥＤ遠隔監視管理装置であって、入力回路部（１０８）から入力したＡＥＤ使用可能状態信号を目視判断が出来やすい信号として出力回路部（１０９）からセンサー部（１０１）に再伝達し表示部（１０５）でＬＥＤ点滅させることでＡＥＤ使用可能状態を目視判断が容易に告知する事を備えたＡＥＤ遠隔監視管理装置である。
【請求項７】
請求項１に記載のＡＥＤ遠隔監視管理装置であって、制御部（１０７）には入力信号を整理加工する制御ＣＰＵ部（１１０）とその信号を送信部（１１１）に伝達する機能を備えたＡＥＤ遠隔監視管理装置である。
【請求項８】
請求項１に記載のＡＥＤ遠隔監視管理装置であって、制御ＣＰＵ部（１１０）からの信号を送信部（１１１）に伝達し、ＡＥＤ監視管理者へアンテナ部（１１２）から携帯電話電波を介して伝達する機能を備えたＡＥＤ遠隔監視管理装置である。
【請求項９】
請求項１に記載のＡＥＤ遠隔監視管理装置であって、センサー部（１０１）、制御部（１０７）、送信部（１１１）、に必要な電源を供給する電源部（１１３）を備えたＡＥＤ遠隔監視管理装置である。
【請求項１０】
請求項１に記載のＡＥＤ遠隔監視管理装置であって、ＡＥＤがボックス内から取り出され移動した時には脱着容易コネクター（１０６）が簡単に外れ入力回路部（１０８）は無信号状態となりＡＥＤ使用不可状態となることを検出し、ＡＥＤ監視管理者にＡＥＤ使用不可状態を伝達するＡＥＤ遠隔監視管理装置である。
【考案の詳細な説明】
【技術分野】
【０００１】
ＡＥＤ本体は常時ＡＥＤ使用可能状態を保持しなければならないため、毎日１回はＡＥＤ使用可能状態をチェックすることが厚生労働省から指針が出ている。しかし広範囲に設置されているＡＥＤ使用可能状態を毎日チェックするのには大変な労力を必要とする。ＡＥＤ遠隔監視管理装置が要望されている。
【背景技術】
【０００２】
ＡＥＤ使用可能状態をチェックするために、ＡＥＤ設置場所に出向くことなく遠隔でＡＥＤ使用可能状態を確認できることが期待されている。
【０００３】
ＡＥＤ本体に影響を与えず、直接接触することもなく、ＡＥＤ本体から出力されＡＥＤ使用可能状態のＬＥＤ点滅（１０２）、ＡＥＤ使用可能状態の液晶画面（１０３）によるＯＫマーク、赤外線通信（ＩｒＤＡ）（１０４）を入力回路部（１０８）で検知し制御部（１０７）に伝達する。
【０００４】
制御部（１０７）の制御ＣＰＵ部（１１０）で整理加工されたＡＥＤ使用可能状態      信号を送信部（１１１）に伝達し、アンテナ部（１１２）から携帯電話電波で指定さ
れた所にメール転送する。
【０００５】
システム全体を目的にあった装置にすることは勿論であり、尚且つ必要最小限な構築で安価な多機能なＡＥＤ遠隔監視管理装置が期待されている。
【考案の開示】
【考案が解決しようとする課題】
【０００６】
ＡＥＤ本体は常時ＡＥＤ使用可能状態を保持しなければならないため、監視管理が必要になっている。いざと言うときに使用できない状態であると死に直結している。このために毎日のＡＥＤ使用可能状態の点検は不可欠である。
【０００７】
全体のシステムが大きすぎるがために高価になってしまうことを避け、設置されているＡＥＤが監視管理者だけに直接伝達できる仕組みにしなければ、急速な普及はむずかしいと考えられる。
【課題を解決するための手段】
【０００８】
ＡＥＤ本体に直接接触する事なくＡＥＤ本体から出力される、ＡＥＤ使用可能状態のＬＥＤ点滅（１０２）方式、ＡＥＤ使用可能状態の液晶画面（１０３）によるＯＫマーク方式、赤外線通信（ＩｒＤＡ）（１０４）方式を入力回路部（１０８）が検出し、入力回路部（１０８）からその信号を制御部（１０７）に伝達し、制御ＣＰＵ部（１１０）で整理加工されたＡＥＤ使用可能状態信号を送信部（１１１）に伝達し、アンテナ部（１１２）から携帯電話電波で指定された所にメール転送することを特徴とする方法である。
【０００９】
請求項２を解決する方法であって、ＡＥＤ本体から自己点検出力としてＡＥＤ使用可能状態には、センサー部（１０１）のＬＥＤを点滅（１０２）させ、ＡＥＤ使用可能状態を検知する入力回路部（１０８）からＡＥＤ使用可能状態を制御部（１０７）に伝達することを特徴とする方法である。
【００１０】
請求項３を解決する方法であって、ＡＥＤ本体から自己点検出力としてＡＥＤ使用可能状態には、液晶画面（１０３）によるＯＫマークのＡＥＤ使用可能状態を検知する入力回路部（１０８）からＡＥＤ使用可能状態を制御部（１０７）に伝達することを特徴とする方法である。
【００１１】
請求項４を解決する方法であって、ＡＥＤ本体から自己点検出力としてＡＥＤ使用可能状態の赤外線通信（ＩｒＤＡ）（１０４）を検知し、入力回路部（１０８）からＡＥＤ使用可能状態を制御部（１０７）に伝達することを特徴とする方法である。
【００１２】
請求項５を解決する方法であって、センサー部（１０１）と制御部（１０７）を接続するコネクターであり、ＡＥＤ本体が内蔵されているソフトケース（センサー部（１０１）内蔵））はいつでも簡単に取り出し移動が出来なくてはならないため、ソフトケース（センサー部（１０１）内蔵））と制御部（１０７）を接続するためのコネクターは容易に脱着出来る、脱着容易コネクター部（１０６）を特徴とする方法である。
【００１３】
請求項６を解決する方法であって、入力回路部（１０８）から入力したＡＥＤ使用可能状態信号を目視判断が出来やすい信号として、出力回路部（１０９）からセンサー部（１０１）に再伝達し表示部（１０５）でＬＥＤ点滅させることでＡＥＤ使用可能状態を目視判断が容易に告知する事を特徴とする方法である。
【００１４】
請求項７を解決する方法であって、制御部（１０７）には入力信号を整理加工する制御ＣＰＵ部（１１０）とその信号を送信部（１１１）に伝達する事を特徴とする方法である。
【００１５】
請求項８を解決する方法であって、制御ＣＰＵ部（１１０）からの信号を送信部（１１１）に伝達し、ＡＥＤ監視管理者へアンテナ部（１１２）から携帯携帯電話電波を介して伝達する事を特徴とする方法である。
【００１６】
請求項９を解決する方法であって、センサー部（１０１）、制御部（１０７）、送信部（１１１）、に必要な電源を供給する電源部（１１３）を備えた事を特徴とする方法である。
【００１７】
請求項１０を解決する方法であって、ＡＥＤがボックス内から取り出され移動した時には脱着容易コネクター（１０６）が簡単に外れ入力回路部（１０８）は無信号状態となりＡＥＤ使用不可状態となることを検出し、ＡＥＤ監視管理者にＡＥＤ使用不可状態を伝達する事を特徴とする方法である。
【考案の効果】
【００１８】
ＡＥＤ本体は常時使用可能状態を確認するために、１日１回はＡＥＤ使用可能状態確認を行うことが厚生労働省から指針が出ている。ＡＥＤがますます広範囲に設置が進むにつれ、特にＡＥＤの効果的な使用方法として屋外設置が多くなっていく中で、人的な確認作業で目視確認で行うことは余りにも効率的でなく、自然とＡＥＤ遠隔監視管理装置の仕組みが必要不可欠となり、その効果は大きく急速に普及する効果も得られる。
【００１９】
ＡＥＤの普及台数は４０万台以上と言われておりますが、正式な台数は把握できていないのが現状です。ＡＥＤ本体の持っている温度特性のためほとんどが屋内設置となっておりますが、今後は温度管理付きの屋外型ＡＥＤ収納ボックスでの設置が認知されＡＥＤの有効的な使用方法が拡大することが予測されます。その広範囲に設置されたＡＥＤを目視で毎日ＡＥＤ使用可能状態をチェックすることは大変な労力が必要とされ、ＡＥＤの屋外設置が進めば進むほどＡＥＤ遠隔監視管理装置の必要性は増大する。
【考案を実施するための最良の形態】
【００２０】
ＡＥＤ遠隔監視管理装置はＡＥＤ本体を収納しているソフトケース内のセンサー部（１０１）、ＡＥＤ使用可能状態のＬＥＤ点滅（１０２）方式、ＡＥＤ使用可能状態の液晶画面（１０３）によるＯＫマーク方式、赤外線通信（ＩｒＤＡ）（１０４）方式で構成されている。
センサー部（１０１）からの信号を入力回路部（１０８）でデジタル信号化される。制御部（１０７）は制御ＣＰＵ部（１１０）で構成されている。
制御部（１０７）の整理加工された信号をＡＥＤ監視管理者に伝達するために送信部（１１１）、アンテナ部（１１２）から構成されている。
入力回路部（１０８）、出力回路部（１０９）、制御部（１０７）、送信部（１１１）に電源部１１０）から構成され、ＡＥＤ使用可能状態をＡＥＤ監視管理者に情報として直接伝達することが出来る。
【００２１】
ＡＥＤ本体に直接接触する事なくＡＥＤ本体から出力される情報として、センサー部（１０１）のＬＥＤ点滅（１０２）、液晶画面（１０３）によるＯＫマーク、赤外線通信（ＩｒＤＡ）（１０４）だけでＡＥＤ使用可能状態を認識しＡＥＤ監視管理者に情報として直接伝達する構成になっている。
【００２２】
ＡＥＤ使用可能状態情報は、ホスト側（サーバー）を構築使用する事なく、直接ＡＥＤ監視管理者に携帯電話電波でＡＥＤ良否情報、設置場所情報を伝達する仕組みのため安価で確実な構成になっている。
【００２３】
センサー部（１０１）と制御部（１０７）を接続するコネクターであり、ＡＥＤ本体が内蔵されているソフトケース（センサー部（１０１）内蔵））はいつでも簡単に取り出し移動が出来なくてはならないため、ソフトケース（センサー部（１０１）内蔵））と制御部（１０７）を接続するためのコネクターは容易に脱着出来る、脱着容易コネクター部（１０６）で構成されている。
【００２４】
入力回路部（１０８）から入力したＡＥＤ使用可能状態信号を目視判断が出来やすい信号として、出力回路部（１０９）からセンサー部（１０１）に再伝達し表示部（１０５）でＬＥＤ点滅させることでＡＥＤ使用可能状態を目視判断が容易に告知する様に構成されている。
【００２５】
ＡＥＤ使用可能状態がはっきりと外部から判断でき、目立つ事で常に存在を認識しており脳裏に記憶され、いざと言う時に迅速な処置が可能となる。
【実施例１】
【００２６】
現在４０万台以上普及しているＡＥＤは、特に公共施設、駅では急速に設置が進められており、今後は商店街にも普及の兆しがある。ＡＥＤの有効的な使用方法として屋外設置が注目されており、屋外設置が普及すると広域設置となるためＡＥＤ使用可能状態のチェック作業は大変な労力を使うし困難になってくる。
【００２７】
設置されたＡＥＤ使用可能状態確認として、安価なＡＥＤ遠隔監視管理装置は容易に確実に確認できる、不可欠の要素を持っている。
【００２８】
特に一般的なＡＥＤは、パットは２年毎の交換、バッテリーは４年毎の交換、ＡＥＤ本体は５年が使用可能期間と決まっており、それらのチェック機能としても、ＡＥＤ遠隔監視管理装置は有効的な効果をもたらす。
【産業上の利用可能性】
【００２９】
従来のＡＥＤ使用可能状態のチェックには、赤外線通信（ＩｒＤＡ）及びブルーツース通信で限られた情報開示しかされておらず一般的な開発が阻害されている。
ＡＥＤ本体に接触する事なく、状態を検知し遠隔管理できる仕組みは多くの産業上の効果を期待できる。
【００３０】
情報管理としてホスト側（サーバー構築）が有り、システムが大きすぎているし本来、ＡＥＤ使用可能状態の確認はその監視管理者だけに直接伝達する情報でよいに過去の状態までも管理するため、情報管理が大きくなり高価になっている。
目的にあわせた仕組み作りで、直接情報管理者に伝達することでシステムが簡素化され安価に供給できる。
【図面の簡単な説明】
【００３１】
【図１】図1はＡＥＤ遠隔監視管理装置の全体説明図です。
【符号の説明】
【００３２】
１０１  センサー部                
ＡＥＤ本体を収納したソフトケース内に各センサー部とみやすいＬＥＤ表示部で構成されている。
１０２  ＬＥＤ点滅
受光素子でＡＥＤ本体から出力されるＬＥＤの点滅を検知するフォトセンサーで構成されている。
１０３  液晶画面表示
受光素子及びカメラでＡＥＤ本体から出力される液晶表示の信号を検知するフォトセンサーで構成されている。 
１０４  赤外線通信（ＩｒＤＡ）
ＡＥＤ本体から出力される赤外線通信（ＩｒＤＡ）の信号を検知する様に構成されている。
１０５  表示部
ＡＥＤ本体から出力されるＡＥＤ使用可能状態の状態を入力回路部（１０８）で取り込み、見やすいＬＥＤ点滅信号として出力信号部（１０９）から表示部（１０５）に伝達し見やすい状態で表示する。
１０６  脱着容易コネクター部
センサー部（１０１）と制御部（１０７）を接続するコネクターでＡＥＤ本体の内蔵されているソフトケースはいつでも簡単に取り出し、移動が出来なくてはならないため、脱着が容易で出来ているコネクターで構成されている。
１０７  制御部
センサー部（１０１）からのＡＥＤ使用可能状態の状態信号をいろいろな整理加工する機能で構成されている。
１０８  入力回路部
各センサー部からのＡＥＤ使用可能状態の状態信号を制御可能なデジタル信号に変換する機能で構成されている。
１０９  出力回路部
入力回路部（１０８）で形成されたデジタル信号を、より見やすい状態にしてソフトケースに伝達する機能で構成されている。
１１０  制御ＣＰＵ部
入力回路部（１０８）で形成されたデジタル信号を、各目的に合わせて整理加工する機能で構成されている。 
１１１  送信部
制御ＣＰＵ部（１１０）で送信用データに整理加工された情報を、携帯電話電波でＡＥＤ監視管理者に直接メール送信する機能で構成されている。
１１２  アンテナ部
制御部（１０７）、送信部（１１１）に内蔵されており、携帯電話電波でＡＥＤ監視管理者に直接メール送信する機能で構成されている。
１１３  電源部
入力回路部（１０８）、出力回路部（１０９）、制御部（１０７）、送信部（１１１）に必要とするＤＣ電源を供給する機能で構成されている。
【図１】
0003188490.tif 000003
【手続補正書】
【提出日】平成25年7月4日(2013.7.4)
【手続補正１】
【補正対象書類名】実用新案登録請求の範囲
【補正対象項目名】全文
【補正方法】変更
【補正の内容】
【実用新案登録請求の範囲】
【請求項１】
ＡＥＤ本体から出力される使用可能状態を示すセンサー部（１０１）は、各機種毎に異なっており、大別するとＡＥＤ使用可能状態のＬＥＤ点滅（１０２）、ＡＥＤ使用可能状態の液晶画面（１０３）によるＯＫマーク、赤外線通信（ＩｒＤＡ）による情報伝達（１０４）、およびＡＥＤがボックス内から取り出され移動したときも無信号状態となりＡＥＤ使用不可状態となることも検出し、ＡＥＤ監視管理者に送信モジュールにより携帯電話網を利用してＡＥＤ使用可能状態を伝達するＡＥＤ遠隔監視管理装置。
【請求項２】
請求項１に記載のＡＥＤ遠隔監視管理装置であって、ＡＥＤ本体から自己点検出力としてＡＥＤ使用可能状態には、ＬＥＤ点滅（１０２）させ、ＡＥＤ使用可能状態を検知する入力回路部（１０８）を備えたＡＥＤ遠隔監視管理装置。
【請求項３】
請求項１に記載のＡＥＤ遠隔監視管理装置であって、ＡＥＤ本体から自己点検出力としてＡＥＤ使用可能状態には、液晶画面（１０３）によるＯＫマークのＡＥＤ使用可能状態を検知する入力回路部（１０８）を備えたＡＥＤ遠隔監視管理装置。
【請求項４】
請求項１に記載のＡＥＤ遠隔監視管理装置であって、ＡＥＤ本体から自己点検出力の赤外線通信（ＩｒＤＡ）（１０４）を検出し、ＡＥＤ使用可能状態を検知する入力回路部（１０８）を備えたＡＥＤ遠隔監視管理装置。
【請求項５】
請求項１に記載のＡＥＤ遠隔監視管理装置であって、センサー部（１０１）と制御部（１０７）からなり、センサー部（１０１）と制御部（１０７）を接続するためのコネクターは、容易に脱着出来るコネクター部（１０６）を備えたＡＥＤ遠隔監視管理装置。
【請求項６】
請求項１に記載のＡＥＤ遠隔監視管理装置であって、入力回路部（１０８）から入力したＡＥＤ使用可能状態信号を目視判断が出来やすい信号として出力回路部（１０９）からセンサー部（１０１）に再伝達し表示部（１０５）でＬＥＤ点滅させることでＡＥＤ使用可能状態を目視判断が容易に告知する事を備えたＡＥＤ遠隔監視管理装置。
【請求項７】
請求項１に記載のＡＥＤ遠隔監視管理装置であって、制御部（１０７）には入力信号を整理加工する制御ＣＰＵ部（１１０）とその信号を送信部（１１１）に伝達する機能を備えたＡＥＤ遠隔監視管理装置。
【請求項８】
請求項１に記載のＡＥＤ遠隔監視管理装置であって、制御ＣＰＵ部（１１０）からの信号を送信部（１１１）に伝達し、ＡＥＤ監視管理者へアンテナ部（１１２）から携帯電話電波を介して伝達する機能を備えたＡＥＤ遠隔監視管理装置。
【請求項９】
請求項１に記載のＡＥＤ遠隔監視管理装置であって、センサー部（１０１）、制御部（１０７）、送信部（１１１）、に必要な電源を供給する電源部（１１３）を備えたＡＥＤ遠隔監視管理装置。
【請求項１０】
請求項１に記載のＡＥＤ遠隔監視管理装置であって、ＡＥＤがボックス内から取り出され移動した時には脱着容易コネクター（１０６）が簡単に外れ入力回路部（１０８）は無信号状態となりＡＥＤ使用不可状態となることを検出し、ＡＥＤ監視管理者にＡＥＤ使用不可状態を伝達するＡＥＤ遠隔監視管理装置。
【手続補正書】
【提出日】平成25年10月25日(2013.10.25)
【手続補正１】
【補正対象書類名】実用新案登録請求の範囲
【補正対象項目名】全文
【補正方法】変更
【補正の内容】
【実用新案登録請求の範囲】
【請求項１】
ＡＥＤ本体から出力される使用可能状態を示すセンサー部（１０１）は、各機種毎に異なっており、大別するとＡＥＤ使用可能状態のＬＥＤ点滅（１０２）、ＡＥＤ使用可能状態の液晶画面（１０３）によるＯＫマーク、赤外線通信（ＩｒＤＡ）による情報伝達（１０４）、およびＡＥＤがボックス内から取り出され移動したときも無信号状態となりＡＥＤ使用不可状態となることも検出し、それらの情報をＬＥＤ点滅（１０２）においては受光素子（ＣＤＳ）のよって、液晶画面（１０３）においてはカメラによって、赤外線通信（ＩｒＤＡ）による情報伝達（１０４）においては受光素子（ダイオード）によってＡＥＤ監視管理者に送信モジュールにより携帯電話網を利用してＡＥＤ使用可能状態を伝達するＡＥＤ遠隔監視管理装置。
【請求項２】
請求項１に記載のＡＥＤ遠隔監視管理装置であって、ＡＥＤ本体から自己点検出力としてＡＥＤ使用可能状態には、ＬＥＤ点滅（１０２）させ、ＡＥＤ使用可能状態を検知する入力回路部（１０８）を備えたＡＥＤ遠隔監視管理装置。
【請求項３】
請求項１に記載のＡＥＤ遠隔監視管理装置であって、ＡＥＤ本体から自己点検出力としてＡＥＤ使用可能状態には、液晶画面（１０３）によるＯＫマークのＡＥＤ使用可能状態を検知する入力回路部（１０８）を備えたＡＥＤ遠隔監視管理装置。
【請求項４】
請求項１に記載のＡＥＤ遠隔監視管理装置であって、ＡＥＤ本体から自己点検出力の赤外線通信（ＩｒＤＡ）（１０４）を検出し、ＡＥＤ使用可能状態を検知する入力回路部（１０８）を備えたＡＥＤ遠隔監視管理装置。
【請求項５】
請求項１に記載のＡＥＤ遠隔監視管理装置であって、センサー部（１０１）と制御部（１０７）からなり、センサー部（１０１）と制御部（１０７）を接続するためのコネクターは、容易に脱着出来るコネクター部（１０６）を備えたＡＥＤ遠隔監視管理装置。
【請求項６】
請求項１に記載のＡＥＤ遠隔監視管理装置であって、入力回路部（１０８）から入力したＡＥＤ使用可能状態信号を目視判断が出来やすい信号として出力回路部（１０９）からセンサー部（１０１）に再伝達し表示部（１０５）でＬＥＤ点滅させることでＡＥＤ使用可能状態を目視判断が容易に告知する事を備えたＡＥＤ遠隔監視管理装置。
【請求項７】
請求項１に記載のＡＥＤ遠隔監視管理装置であって、制御部（１０７）には入力信号を整理加工する制御ＣＰＵ部（１１０）とその信号を送信部（１１１）に伝達する機能を備えたＡＥＤ遠隔監視管理装置。
【請求項８】
請求項１に記載のＡＥＤ遠隔監視管理装置であって、制御ＣＰＵ部（１１０）からの信号を送信部（１１１）に伝達し、ＡＥＤ監視管理者へアンテナ部（１１２）から携帯電話電波を介して伝達する機能を備えたＡＥＤ遠隔監視管理装置。
【請求項９】
請求項１に記載のＡＥＤ遠隔監視管理装置であって、センサー部（１０１）、制御部（１０７）、送信部（１１１）、に必要な電源を供給する電源部（１１３）を備えたＡＥＤ遠隔監視管理装置。
【請求項１０】
請求項１に記載のＡＥＤ遠隔監視管理装置であって、ＡＥＤがボックス内から取り出され移動した時には脱着容易コネクター（１０６）が簡単に外れ入力回路部（１０８）は無信号状態となりＡＥＤ使用不可状態となることを検出し、ＡＥＤ監視管理者にＡＥＤ使用不可状態を伝達するＡＥＤ遠隔監視管理装置。